(57)【要約】【課題】  本考案は、電気真空掃除機用フレキシブルな延長ホースを使って、高い所や、狭い場所、壁際等の掃除を容易にする。【解決手段】  電気真空掃除機用フレキシブルな延長ホース９の一端を、電気掃除機の吸い込み口の延長部７に連結し、もう一端に吸引ノズル１２を取り付ける事によりて、延長ホース５を長くして、高い場所や狭い場所等を容易に掃除する事が出来る。【選択図】図１
0003130443.tif 000002
【実用新案登録請求の範囲】
【請求項１】
フレキシブルなホースの一端に、電気真空掃除機の吸引口又はその延長部に連結出来る雄タイプの差し込みアダプタを持ち、また、もう一端に掃除の目的に応じた吸引ノズルを取り付ける雌タイプの差し込みアダプタを持ち、この両端のアダプタを使って、その一端を電気真空掃除機の吸引口又はその延長部と接続し、またもう一端に掃除の目的に応じた吸引ノズルを取り付ける事によって、電気真空掃除機の吸引口、又はその延長部から吸引ノズルまでの距離を長くし、高い位置にある場所、また狭い所にある場所、また壁際や部屋の隅等の掃除を容易にする、電気真空掃除機用フレキシブルな延長ホース。
【請求項２】
請求項１にある、電気真空掃除機用フレキシブルな延長ホースの一端の雌タイプの差し込みアダプタは、小さく軽く作られ、アダプタ部分と吸引ノズルの根本の両方を同時に片手で持って操作でき、吸引ノズルの先端を掃除する面と一致させる調整が簡単で、また吸引ノズルを自由に動かし、適切な力加減で操作出来て、掃除を容易にする電気真空掃除機用フレキシブルな延長ホース。
【考案の詳細な説明】
【技術分野】
【０００１】  本考案は、電気真空掃除機の吸引口又は、その延長部に取り付けて使う電気真空掃除機用フレキシブルな延長ホースに関するものである。
【背景技術】
【０００２】  電気真空掃除機の吸引ノズルを取り付ける延長管は、棒状のパイプを使用するか、または電気真空掃除機本体の吸引口に取り付けられたホースを使用し、その先端に各種の吸引ノズルを取り付ける構造をしている。
【考案の開示】
【考案が解決しようとする課題】
【０００３】  棒状の延長管では、延長管を手で持って操作する部分と吸引ノズルが離れており、自由な操作や適切な力加減の調整が難しく、高い場所、狭い場所、壁際等を掃除する場合、掃除する事が困難か、掃除の出来る範囲が少なかった。【０００４】  また、電気真空掃除機本体に取り付けられるホースは、その先端に電気真空掃除機の操作スイッチ、延長管用の差し込み口、取っ手、またそれら全てを取り付ける、取っ手と一体になった構造体等で構成されている。この部分に直接吸引ノズルを付けた場合、この構造体の重量と形状が大きく、かつ人が持つ部分と吸引ノズルが離れているため、吸引ノズルの自由で適切な操作が容易ではない。【０００５】  以上のことから、従来の技術では、高い場所等にある家具の上部や側面、湾曲部分、照明器具、鴨居、欄干、壁の表面、障子の桟、天井、また複雑な形状をした物など、またその他家具の隙間等の狭い場所、また部屋の隅や壁際等を掃除する場合、掃除する事が困難か、掃除の出来る範囲が少なかった。【０００６】  従ってフレキシブルな延長ホースを使って、吸引ノズルまでの長さを大きくとり、かつ自由な操作を行い易くし、前述の欠点を解決しようとするものである。
【課題を解決するための手段】
【０００７】  本考案の電気真空掃除機用フレキシブルな延長ホースは、その一端に電気真空掃除機の吸い込み口に連結出来る雄タイプの差し込みアダプタを備え、もう一端に掃除の目的に応じた吸引ノズルを取り付ける事が出来る雌タイプの差し込みアダプタを備えている。この両端のアダプタを使って、電気真空掃除機用フレキシブルな延長ホースの一端を電気真空掃除機本体の吸い込み口、又はその延長部へ取り付け、またもう一端には、掃除の目的に応じた吸引ノズルを取り付ける。【０００８】  また、本考案の電気真空掃除機用フレキシブルな延長ホースは、その一端に掃除の目的に応じた吸引ノズルを取り付ける雌タイプの差し込みアダプタを持つが、その重さを軽く、また形状も小さくする事によって、手で持って操作する部分と吸引ノズルとの距離を小さくし、アダプタ部分と吸引ノズルの根本の両方を片手で持って、容易に操作出来る形状を持つ。
【考案の効果】
【０００９】  上述の様に、本考案の電気真空掃除機用フレキシブルな延長ホースは、その先端に取り付けた吸引ノズルを片手で持ち、吸引ノズルの先端を掃除する面と一致させる調整等が容易で、自由に適切な力加減で吸引ノズルを操作し、高い場所等にある家具の上部や側面、湾曲部分、照明器具、鴨居、欄干、壁の表面、障子の桟、天井、また複雑な形状をした物など、またその他家具の隙間等の狭い場所、また部屋の隅や壁際等の掃除を容易にする。【００１０】  また、電気真空掃除機用フレキシブルな延長ホースは、電気真空掃除機に取り付けられた吸引口の延長部に取り付ける事が出来るので、電気真空掃除機本体と吸引ノズルまでの長さを大きくとる事が出来る。
【実施例】
【００１１】  以下、添付図に従って、実施例を説明する。まず図１において、９は電気真空掃除機用フレキシブルな延長ホースで、その一端に雌型差し込みアダプタ１０を、もう一端に雄型差し込みアダプタ８を備えている。本考案を使って、実際に掃除をする場合は、この雌型差し込みアダプタ１０へ吸引ノズル１２を差し込み、またもう一端の雄型差し込みアダプタ８を、電気真空掃除機２に備え付けられている延長ホース５の先端にある、吸い込み口の延長部７へ差し込んで使用する。【００１２】  また図１に示した吸引ノズル１２は、一例に丸形ブラシ１３が付属したものを示しているが、この例以外にも、各種の吸引ノズルを取り付けることが可能な構造を、この雌型差し込みアダプタ１０は有している。【００１３】  次に図２において、１８は電気真空掃除機用フレキシブルな延長ホースで、その一端に雌型差し込みアダプタ１９を、もう一端に雄型差し込みアダプタ１７を備えている。本考案を使って実際に掃除をする場合は、この雌型差し込みアダプタ１９へ吸引ノズル２１を差し込み、またもう一端の雄型差し込みアダプタ１７を電気真空掃除機吸い込み口１６へ、直接差し込んで使用する。図２の実施例は、電気真空掃除機１５の本体に電源のオンオフや吸引力を調整するスイッチ１４等が有る場合に使用できる。【００１４】  また図２に示す吸引ノズル２１は、先端が細いノズルを備えた物を一例として示しているが、この例以外にも各種の吸引ノズルを、取り付ける事が可能な構造をこの雌型差し込みアダプタ１９は有している。
【図面の簡単な説明】
【００１５】
【図１】本考案の一つの実施例を示した図である。
【図２】本考案のもう一つの実施例を示した図である。
【符号の説明】
【００１６】  １  スイッチ
２  電気真空掃除機
３  電気真空掃除機吸い込み口
４  接続部
５  延長ホース
６  取っ手
７  吸い込み口の延長部
８  雄型差し込みアダプタ
９  電気真空掃除機用フレキシブルな延長ホース
１０  雌型差し込みアダプタ
１１  吸引ノズルの雄型差し込み
１２  吸引ノズル
１３  丸形ブラシ
１４  スイッチ
１５  電気真空掃除機
１６  電気真空掃除機吸い込み口
１７  雄型差し込みアダプタ
１８  電気真空掃除機用フレキシブルな延長ホース
１９  雌型差し込みアダプタ
２０  吸引ノズルの雄型差し込み
２１  吸引ノズル
【図１】
0003130443.tif 000003
【図２】
0003130443.tif 000004